(57)【特許請求の範囲】
【請求項１】
一台の熱源機に対して主温水マットと従属温水マットを直列の温水循環回路で結んで成る床暖房システムにおいて、前記温水循環回路において熱源機と主温水マット間を結ぶ温水往き回路と前記従属温水マットと熱源機間を結ぶ温水戻り回路間に温水の往きと戻りを切り替えるためのクロス回路を設けると共にこのクロス回路に切り替えバルブを取り付け、このバルブ操作により熱源機から出湯された温水が先に前記従属温水マット側に供給され、その後主温水マット側を経由して熱源機に戻る逆送循環回路を設けると共に、前記逆送循環回路を経由するモードを先に選択した時、一定の時間を経過すると逆送循環運転モードから正送循環運転モードに切り替わる運転回復回路を設けてなること、を特徴とする温水式床暖房システム。
【発明の詳細な説明】
【技術分野】
【０００１】
本願発明は、一台の熱源機を利用して居室等に敷設された主温水マットと脱衣室，トイレ，廊下等に敷設された従属温水マットを直列の温水循環回路で同時に運転できる温水式床暖房システムに関する。
【背景技術】
【０００２】
従来の前記した温水式床暖房システムであって、主温水マットに従属温水マットを付属させたシステムの場合、熱源機で発生した約６０℃の温水は、先ず主温水マット内を一巡したのち、前記従属温水マット内を一巡して熱源機へ戻るという直列の温水循環回路で構成されていることから、次のような問題がある。
【０００３】
主温水マットと従属温水マットを同時に運転している際は、従属温水マット内には主温水マット内を一巡することにより放熱を終えた約４９〜５３℃の低温水が循環することになるため、ここでは熱量が不足して所謂立ち上がりが悪く、早く脱衣室の温度を上げて安全に入浴したい場合には待ち時間が長くなって不便である。
【０００４】
このような、複数の温水マットを一台の熱源機を用いて同時に駆動する暖房システムの欠点を解決する手段として、特許文献１には、温水循環回路に対して各室の温水マットを並列に結び、更に各部屋の温まり易さをあらかじめ求めておき、この値に基いて熱源機から各温水マットに供給する温水量をコントローラで演算し、各部屋の温水マットに至る温水の量をＦＦ方式で制御する暖房システムが紹介されている。
【０００５】
しかし、この制御方式は、温水の量で室温を制御するため、設計としてはすべての端末が同時に運転する場合を最大値として熱源機からの給湯量を決定する必要があり、熱源機が大型になると共にコントローラの設計も複雑になる。
【０００６】
また、この引用文献１の場合、熱源機と各温水マットはそれぞれ独立した並列回路で結ばれるため、配管工事が複雑となり、設備コストもかかる。
【先行技術文献】
【特許文献】
【０００７】
【特許文献１】特開平８−３３８６３６号公報
【発明の開示】
【発明が解決しようとする課題】
【０００８】
本願発明の目的は、一台の熱源機を用いて主、従関係にある複数の温水マットを同時に運転することができる床暖房システムにおいて、従属関係にある温水マットの立ち上がりを改善すると共に設備コストの低減を図ることが可能な温水式床暖房システムの提供を課題とする。
【課題を解決するための手段】
【０００９】
前記目的を達成するため、請求項１に記載の発明は、温水式床暖房システムにおいて、一台の熱源機に対して主温水マットと従属温水マットを直列の温水循環回路で結んで成る床暖房システムにおいて、前記温水循環回路において熱源機と主温水マット間を結ぶ温水往き回路と前記従属温水マットと熱源機間を結ぶ温水戻り回路間に温水の往きと戻りを切り替えるためのクロス回路を設けると共にこのクロス回路に切り替えバルブを取り付け、このバルブ操作により熱源機から出湯された温水が先に前記従属温水マット側に供給され、その後主温水マット側を経由して熱源機に戻る逆送循環回路を設けると共に、前記逆送循環回路を経由するモードを先に選択した時、一定の時間を経過すると逆送循環運転モードから正送循環運転モードに切り替わる運転回復回路を設けてなることを特徴とするものである。
【発明の効果】
【００１０】
本願発明は以上のとおり、熱源機から主温水マットを経由して従属温水マットに至り、その上で熱源機に戻る直列の温水循環回路において、バルブの切り替えにより温水の循環を
逆送することができるように構成した。
【００１１】
この結果、逆送させた場合には従属温水マット側に先に約６０℃の温水が循環するため、従属温水マット側の立ち上がりを大幅に改善することができる。
【図面の簡単な説明】
【００１２】
【図１】（Ａ）は温水循環回路が直列回路で構成された温水式床暖房システムにおいて、逆送循環を可能に構成した例の説明図、（Ｂ）は熱源機からの温水が逆送するように制御したときの説明図である。
【図２】温水の流れを切り替えるためのバルブの取り付け例を示すもので、（Ａ）は直列回路成立の例、（Ｂ）は逆送回路成立の例である。
【図３】正送循環運転と逆送循環運転における主温水マット側と従属温水マット側の室温の変化を示す説明図である。
【発明を実施するための形態】
【実施例１】
【００１３】
図１（Ａ）（Ｂ）に基いて実施例１を詳細に説明する。
【００１４】
この図１（Ａ）（Ｂ）において、符号の１は熱源機、符号の２は主温水マット、符号の３は熱源機１の温水供給口１ａと主温水マット２の流入口２ａを結ぶ主温水往き回路、符号の４は従属温水マットであって、この従属温水マット４は、前記主温水マット２の流出口２ｂと流入口４ａが連通回路５で結ばれ、従属温水マット４の温水出口４ｂは主温水戻り回路６を経由して熱源機１の戻り口１ｂに戻る直流回路で構成されている。
【００１５】
８ａ、８ｂは主温水往き回路３に取り付けられたバルブ、８ｃは主温水戻り回路６に取り付けられたバルブであって、前記バルブ８ａ、８ｃ間は逆送往き回路３ａで結ばれ、前記バルブ８ｂは逆送戻り回路６ａで主温水戻り回路６に直接結ばれていて、この逆送往き回路３ａと逆送戻り回路６ａでクロス回路を形成している。
【００１６】
この実施例１において、正送循環の際は、図１（Ａ）において矢印で示すように熱源機１から送出された温水は、主温水往き管３から主温水マット２を経由し、連通回路５から従属温水マット４内に入り、一巡したのち主温水戻り管６を経由して熱源機１に戻る。
【００１７】
従属温水マット４側において、立ち上がりを改善するために温水を逆送循環させる場合には、図１（Ｂ）に示すようにバルブ８ａ、８ｂ、８ｃを逆送循環側に切り替えると、熱源機１から送出された温水は主温水往き管３から逆送往き回路３ａを経由して主温水戻り管６側にバルブ８ｃを経由して入り、従属温水マット４から連通回路５を経由して主温水マット２内に入り、主温水往き管３を逆送してバルブ８ｂから逆送戻り回路６ａを経由して主温水戻り管６に入り、熱源機１に戻る。
【００１８】
この結果、先に約６０℃の温水が従属温水マット４内を循環するため、従属温水マット４側の立ち上がりが大幅に改善される。
【実施例２】
【００１９】
本実施例２は、図２（Ａ）に示すように主温水往き回路３にＯＮ、ＯＦＦバルブ１０ａを取り付け、主温水戻り管６にＯＮ、ＯＦＦバルブ１０ｂを取り付けると共に逆送往き回路３ａと逆送戻り回路６ａにそれぞれ切替バルブ９ａ、９ｂを取り付け、これらバルブの切り替えにより図２（Ａ）では正送循環を成立させ、（Ｂ）では逆送循環の成立を制御する構成である。
【実施例３】
【００２０】
本実施例３は、図２（Ｂ）に示すようにバルブ９ａを主温水往き管３に取り付け、バルブ９ｂを主温水戻り回路６に取り付けると共に逆送往き回路３ａにバルブ１０ａを取り付け、逆送戻り回路６ａにバルブ１０ｂを取り付け、これらのバルブ９ａ、９ｂ及び１０ａ、１０ｂの切り替えにより矢印に示すように逆流循環を可能にした構成である。
【００２１】
前記各バルブにはすべて電動式が用いられていて、コントローラ（図示せず）によりその切り替えは自動制御され。
【００２２】
図３は、温水の流れを従属温水マット４側を優先させた時の主温水マット２と従属温水マット４が敷設された部屋の温度上昇曲線を示したもので、Ａ線は主温水マット２側の室温度上昇曲線、Ｂは従属温水マット４側の室温度上昇曲線である。
【００２３】
熱源機１から約６０℃の温水を供給し、３０分を経過したときの主温水マット２側の室温は２８．４℃、従属温水マット４側の室温は２７．２℃である。
【００２４】
ここで、温水の流れを従属温水マット４側に切り替えると、従属温水マット４側の室温は約１５分後に２９．４℃となり、その後は２９．５℃前後を維持する。
【００２５】
一方、主温水マット２側の室温は２８．４℃であったものが約１５分後には２８℃に低下し、３０分後には約２７．６℃に低下するが、その後はこの約２７．６℃前後で推移する。
【００２６】
この主温水マット２の温度の推移は、切替時の約２８．２℃の室温の蓄熱によるものである。
【符号の説明】
【００２７】
１  熱源機
２  主温水マット
３  主温水往き回路
４  従属温水マット
５  連通回路
６  主温水戻り回路
８ａ，８ｂ，８ｃ  バルブ
９ａ，９ｂ  バルブ
１０ａ，１０ｂ  バルブ
【図１】
0006633298.tif 000002
【図２】
0006633298.tif 000003
【図３】
0006633298.tif 000004